(57)【要約】【課題】配管位置に対応させるための切断作業が簡単に行なえると共に、外観的に仕上がりよく、錆びの発生もなく、施工後の見栄えを良好にすることができる上に絶縁性にも優れた吊り金具の提供。【解決手段】一端に嵌合穴２０が開口されると共に、他端に連結ボルト２２が突設された２個のキャップ部材２，２と、上下両端部をそれぞれ各キャップ部材の嵌合穴に嵌合固着させて、上下両端部にキャップ部材を取り付けるようにした合成樹脂製の吊りパイプ３を備え、吊りパイプの上端部に取り付けられるキャップ部材の連結ボルトは、天井面５に取り付けたナット６に螺合するように形成され、吊りパイプの下端部に取り付けられるキャップ部材の連結ボルトは、吊り用保持金具７に設けられたナット７０に螺合するように形成されている。【選択図】      図１
2004301162.tif 000002
【特許請求の範囲】
【請求項１】
一端に嵌合穴が開口されると共に、他端に連結ボルトが突設された２個のキャップ部材と、
上下両端部をそれぞれ前記各キャップ部材の嵌合穴に嵌合固着させて、上下両端部にキャップ部材を取り付けるようにした合成樹脂製の吊りパイプを備え、
前記吊りパイプの上端部に取り付けられるキャップ部材の連結ボルトは、天井面に取り付けたナットに螺合するように形成され、
吊りパイプの下端部に取り付けられるキャップ部材の連結ボルトは、吊り用保持金具に設けられたナットに螺合するように形成されていることを特徴とする吊り金具。
【請求項２】
上端に連結ボルトが突設されると共に、下端に嵌合穴が開口された上端キャップ部材と、
下端に連結ボルトが突設されると共に、上端に嵌合穴が開口された下端キャップ部材と、
上端部を前記上端キャップ部材の嵌合穴に嵌合固着させると共に、下端部を前記下端キャップ部材の嵌合穴に嵌合固着させて、上下両端部にキャップ部材を取り付けた合成樹脂製の吊りパイプを備え、
前記上端キャップ部材の連結ボルトを天井面に取り付けられたナットに螺合させ、
前記下端キャップ部材の連結ボルトを吊り用保持金具に設けられたナットに螺合させたことを特徴とする吊り構造。
【発明の詳細な説明】
【０００１】
【発明の属する技術分野】
本発明は、天井に沿って配管施工する際に、管体を吊り支持したり、蛍光灯や空調機器等を吊り支持する際に使用する吊り金具及びこの吊り金具を使用した吊り構造に関する。
【０００２】
【従来の技術】
従来、天井に沿って配管施工する際の吊り構造としては、例えば、図３に示すようなものが知られている。
この従来の吊り構造は、吊り金具として単なる鉄製の棒ボルト１００を使用し、この棒ボルト１００の上端部を天井面５に取り付けたインサートナット６に螺合させると共に、棒ボルト１００の下端部を吊り用保持金具７に設けられたナット７０に螺合させるようにしたものであった。
【０００３】
【発明が解決しようとする課題】
ところで、配管施工に際しては、天井面５から管体８までの位置、即ち、吊り位置が設定されている。
この吊り位置に対応させるため、従来では、棒ボルト１００を所定の長さに切断しているが、この棒ボルト１００が鉄製であるため、その切断作業に時間がかかるし、又、ネジ山をじかに切断することになるため、切断面のバリによってナット６，７０との螺合ができなくなり、そのためバリを除去する必要が生じるなど、作業性が悪いという問題があった。
そのほか、施工後においては、棒ボルト１００が剥き出しのままになるし、また、錆びの発生によって、外観的に施工の仕上がりが悪く、見栄えを損なうという問題もあった。
又、棒ボルトが鉄製であるから、電気器具等に対しては使用しずらいという問題もあった。
【０００４】
本発明は、上記のような問題を解決するためになされたもので、吊り位置に対応させるための切断作業が簡単に行なえると共に、外観的に仕上がりよく、又、錆びの発生もなく、施工後の見栄えを良好にすることができ、さらには電気器具に対しても容易に使用することができる吊り金具及びこの吊り金具を使用した吊り構造を提供することを課題としている。
【０００５】
【課題を解決するための手段】
上記課題を解決するために、本発明の吊り金具（請求項１）は、
一端に嵌合穴が開口されると共に、他端に連結ボルトが突設された２個のキャップ部材と、
上下両端部をそれぞれ前記各キャップ部材の嵌合穴に嵌合固着させて、上下両端部にキャップ部材を取り付けるようにした合成樹脂製の吊りパイプを備え、
前記吊りパイプの上端部に取り付けられるキャップ部材の連結ボルトは、天井面に取り付けたナットに螺合するように形成され、
吊りパイプの下端部に取り付けられるキャップ部材の連結ボルトは、吊り用保持金具に設けられたナットに螺合するように形成されている構成とした。
【０００６】
又、本発明の吊り構造（請求項２）は、
上端に連結ボルトが突設されると共に、下端に嵌合穴が開口された上端キャップ部材と、
下端に連結ボルトが突設されると共に、上端に嵌合穴が開口された下端キャップ部材と、
上端部を前記上端キャップ部材の嵌合穴に嵌合固着させると共に、下端部を前記下端キャップ部材の嵌合穴に嵌合固着させて、上下両端部にキャップ部材を取り付けた合成樹脂製の吊りパイプを備え、
前記上端キャップ部材の連結ボルトを天井面に取り付けられたナットに螺合させ、
前記下端キャップ部材の連結ボルトを吊り用保持金具に設けられたナットに螺合させた構成とした。
【０００７】
【発明の実施の形態】
以下、本発明の実施の形態を図面に示す実施例より説明する。尚、本発明の具体的な構成は、以下の実施例に限定されるものではない。なお、本実施例では、配管を吊り支持するための吊り構造を例にとって説明する。
図１は本発明の実施例にかかる吊り構造を示す断面図である。
【０００８】
図において、１は吊り金具で、この吊り金具１は、２個のキャップ部材２，２と、このキャップ部材２，２を上下両端部に取り付けるようにした樹脂製の吊りパイプ３を構成部材として備えている。
【０００９】
前記キャップ部材２は、一端に嵌合穴２０が開口した合成樹脂製（例えば、塩化ビニル）のキャップ本体２１と、このキャップ本体２１の他端に突設された連結ボルト２２により形成されている。
この場合、連結ボルト２２は、基端に六角形状のアンカープレート２３が形成され、このアンカープレート２３をキャップ本体２１の端面壁２４に埋設させることで、連結ボルト２２の回り止めを行なうようになっている。
又、キャップ本体２１の外周面には、スパナ等の回転締め工具を係止するための六角面２５が形成されている。
【００１０】
前記吊りパイプ３は、合成樹脂（例えば、塩化ビニル）による単なるパイプであって、この吊りパイプ３の端部をキャップ本体２１の嵌合穴２０に接着剤４を介して嵌合固着させることにより、この吊りパイプ３の端部に前記キャップ部材２を取り付けるようにしている。
【００１１】
上記のように構成した吊り金具１を用いて吊り構造を構成するもので、その施工方法の一例を説明する。
【００１２】
先ず、吊り金具１を設置する天井面５にインサートナット６を取り付ける。
このインサートナット６は、下端内部に雌ネジ穴６０が形成され、上端内部にテーパ穴６１が形成される共に、このテーパ穴６１に楔６２が嵌め込まれ、かつテーパ穴６１の周囲肉厚部分にスリット６３が形成された従来公知の拡開式インサートナットに形成されている。
従って、天井面５に下穴５０を形成して、この下穴５０内にインサートナット６を打ち込むと、上端部分が外方に広がって抜けが防止され、このインサートナット６を天井面５に確実に取り付けることができる。
【００１３】
又、前記吊りパイプ３の長さを、吊り位置に対応した長さに切断する。この切断作業は、施工現場で行なうようにしてもよいし、予め工場で所定の長さに切断したものを用いてもよい。
このとき、吊りパイプ３が合成樹脂製であるため、切断作業を簡単に行なうことができる。
又、吊りパイプ３が合成樹脂製で絶縁性を有することから、電気器具等に対して使用しても漏電事故等が発生することがない。
【００１４】
次に、吊りパイプ３の上下両端部にそれぞれキャップ部材２，２を取り付けるもので、この場合、吊りパイプ３の端部をキャップ本体２１の嵌合穴２０に接着剤４を介して嵌合固着させる。この嵌合固着作業は、施工現場で行なうようにしてもよいし、予め工場で行なうようにしてもよい。
【００１５】
そして、前記吊りパイプ３の上端部に取り付けられたキャップ部材２（上端キャップ部材２ａ）の連結ボルト２２を天井面５に取り付けられたインサートナット６の雌ネジ穴６０に螺合させると共に、吊りパイプ３の下端部に取り付けられたキャップ部材２（下端キャップ部材２ｂ）の連結ボルト２２を吊り用保持金具７に設けられたナット７０に螺合させる。
この場合、前記上端キャップ部材２ａの連結ボルト２２としては、インサートナット６の雌ネジ穴６０に螺合可能なものを用い、又、下端キャップ部材２ｂの連結ボルト２２としては、吊り用保持金具７に設けられたナット７０に螺合可能なものを用いるもので、本実施例では、上端キャップ部材２ａと下端キャップ部材２ｂに同一構造のものを用いて、両端のキャップ部材２，２のいずれをも上端キャップ部材２ａ又は下端キャップ部材２ｂに用いることができるようにしている。
このようにして吊り金具１の上端を天井面５に取り付けると共に、この吊り金具１の下端に吊り用保持金具７を取り付け、後は、吊り用保持金具７に取り付け対象となる管体８を取り付けていけば、配管施工が完了する。
【００１６】
なお、前記吊り用保持金具７は、上端にナット７０が取り付けられたブラケット７１の下端部に、左右のバンド部材７２，７２が締結ボルト７３を介して連結された従来公知の吊り用保持金具に形成されている。
そして、左右のバンド部材７２，７２間に取り付け対象となる管体８を通した状態で、前記締結ボルト７３に蝶ネジ７４を螺合して、左右のバンド部材７２，７２を締め付けていくことにより、管体８を左右のバンド部材７２，７２間に保持させるようになっている。
【００１７】
次に、図２はキャップ部材の他例を示す断面図である。
このキャップ部材９は、図１で示したキャップ部材２と同様に、一端に嵌合穴９０が開口した合成樹脂製（例えば、塩化ビニル）のキャップ本体９１と、このキャップ本体９１の他端に突設された連結ボルト９３により形成されている。
この場合、連結ボルト９３をキャップ本体９１の端面壁９４に貫通させて、その連結ボルト９３の基端に形成したフランジ９５と、連結ボルト９３に螺合させた締めナット９６とにより端面壁９４を挟持させることで、連結ボルト９３を回り止めさせながら、この連結ボルト９３をキャップ本体９１の端面に突設させた構造になっている。
【００１８】
【発明の効果】
以上説明してきたように、本発明の吊り金具及び構造にあっては、吊りパイプを合成樹脂製とし、この吊りパイプの両端にキャップ部材を取り付けるようにしたため、吊り位置に対応させるための吊りパイプの切断作業が簡単に行なえると共に、外観的に仕上がりよく、又、錆びの発生もなく、施工後の見栄えを良好にすることができるという効果が得られる。又、吊りパイプを合成樹脂製とし、絶縁しているので、電気器具等の吊り金具として使用しても漏電事故等を防止することができる。
【図面の簡単な説明】
【図１】本発明の実施例にかかる吊り構造を示す断面図である。
【図２】キャップ部材の他例を示す断面図である。
【図３】従来の吊り構造を示す説明図である。
【符号の説明】
１  吊り金具
２  キャップ部材
２ａ  上端キャップ部材
２ｂ  下端キャップ部材
２０  嵌合穴
２１  キャップ本体
２２  連結ボルト
２３  アンカープレート
２４  端面壁
２５  六角面
３  吊りパイプ
４  接着剤
５  天井面
５０  下穴
６  インサートナット（ナット）
６０  雌ネジ穴
６１  テーパ穴
６２  楔
６３  スリット
７  吊り用保持金具
７０  ナット
７１  ブラケット
７２  バンド部材
７３  締結ボルト
７４  蝶ネジ
８  管体
９  キャップ部材
９０  嵌合穴
９１  キャップ本体
９３  連結ボルト
９４  端面壁
９５  フランジ
９６  締めナット
【図１】
2004301162.tif 000003
【図２】
2004301162.tif 000004
【図３】
2004301162.tif 000005